(57)【要約】【課題】温浴槽、冷浴槽に交互に足を浸すことによって簡単に温冷足浴を行うことができ、一度に複数人が使用でき、公共施設等に設置して好適に利用できる温冷足浴装置として提供する。【解決手段】温水を貯溜する足浴用の温浴槽２０と、冷水を貯溜する足浴用の冷浴槽１０とを備えた温冷足浴装置であって、前記温浴槽２０と前記冷浴槽１０とが、複数人が一度に使用可能に設けられ、前記温浴槽２０に温水を供給する給排部２２と、前記冷浴槽１０に冷水を供給する給排部１４とが設けられている。温浴槽２０と冷浴槽１０とが、互いに隣接して配置され、温浴槽２０あるいは冷浴槽１０の側方に座った状態で、温浴槽２０あるいは冷浴槽１０を幅方向に跨ぐようにして足浴可能に設けられている。【選択図】　　　　　図１
2004121287.tif 000002
【特許請求の範囲】
【請求項１】
温水を貯溜する足浴用の温浴槽と、冷水を貯溜する足浴用の冷浴槽とを備えた温冷足浴装置であって、
前記温浴槽と前記冷浴槽とが、複数人が一度に使用可能に設けられ、
前記温浴槽に温水を供給する給排部と、前記冷浴槽に冷水を供給する給排部とが設けられていることを特徴とする温冷足浴装置。
【請求項２】
前記温浴槽と冷浴槽とが、互いに隣接して配置され、温浴槽あるいは冷浴槽の側方に座った状態で、温浴槽あるいは冷浴槽を幅方向に跨ぐようにして足浴可能に設けられていることを特徴とする請求項１記載の温冷足浴装置。
【請求項３】
前記温浴槽あるいは冷浴槽の、幅方向の前方側に配置される浴槽の底面の高さが、幅方向の手前側に配置される浴槽の底面の高さよりも高位に設けられていることを特徴とする請求項２記載の温冷足浴装置。
【請求項４】
前記温浴槽と冷浴槽とが、ともに環状に一周する平面形状に設けられていることを特徴とする請求項２または３記載の温冷足浴装置。
【請求項５】
足浴用の温浴槽と、足浴用の冷浴槽とに共通に用いられる貯溜槽を備えた温冷足浴装置であって、
前記貯溜槽が、複数人が一度に使用可能に設けられ、
前記貯溜槽に、温水と冷水とを所定時間ごとに交互に供給する給排部が設けられていることを特徴とする温冷足浴装置。
【請求項６】
温水を貯溜する足浴用の温浴槽と、冷水を貯溜する足浴用の冷浴槽とを備えた温冷足浴装置であって、
前記温浴槽と前記冷浴槽とが、浴槽の長手方向に歩いて足浴できる平面配置に設けられ、
前記温浴槽に温水を供給する給排部と、前記冷浴槽に冷水を供給する給排部とが設けられていることを特徴とする温冷足浴装置。
【請求項７】
温浴槽と冷浴槽とが、交互に単数または複数、直列に平面配置されていることを特徴とする請求項６記載の温冷足浴装置。
【請求項８】
温浴槽と冷浴槽とが、交互に単数または複数個、直列して環状に一周する平面配置に設けられていることを特徴とする請求項６記載の温冷足浴装置。
【請求項９】
温浴槽および冷浴槽の底部に、足裏を刺激する突起が設けられていることを特徴とする請求項６、７または８記載の温冷足浴装置。
【請求項１０】
温浴槽および冷浴槽に沿って、手すりが設けられていることを特徴とする請求項６、７、８または９記載の温冷足浴装置。
【請求項１１】
給排部が、温水あるいは冷水を所定温度に調節する温度制御装置と、浴槽との間で温水あるいは冷水を循環して送出する送出装置が設けられていることを特徴とする請求項１〜１０のいずれか一項記載の温冷足浴装置。
【請求項１２】
温浴と冷浴とを所定時間経過するごとに切り換える際の、切り換え時を表示装置あるいは音等によって温冷足浴装置の使用者に知らせる通知手段を備えていることを特徴とする請求項１、２、３または４記載の温冷足浴装置。
【発明の詳細な説明】
【０００１】
【発明の属する技術分野】
本発明は温冷足浴装置に関し、より詳細には、温水と冷水とに交互に足を浸して足浴する温冷足浴装置に関する。
【０００２】
【従来の技術】
温水と冷水とに足を一定時間ごと交互に浸す足浴は、足の疲労を和らげ、血液の循環を良好にするとともに、神経痛、リウマチ、心臓病、血圧病、腎臓病、頭痛、風邪など多くの病気に有効である。
このような足浴を行う装置としては、温水を溜める温浴槽と冷水を溜める冷浴槽とを個別に設け、温浴槽と冷浴槽にそれぞれ交互に足を入れて温冷浴可能としたもの（たとえば、特許文献１参照）、足を入れる浴槽に複数の貯水用のタンクを接続し、タンクから水温調節した水を浴槽に供給して温冷浴できるようにした装置（たとえば、特許文献２参照）等が提案されている。
【０００３】
【特許文献１】
特開平９−２２４８６３号公報
【特許文献２】
特開２００２−１９１５２０号公報
【０００４】
【発明が解決しようとする課題】
上述したように、温冷足浴は健康増進を図るとともに、種々の病気の回復にも効果的に作用するものであるが、従来の温冷浴装置は一人用として提供されているものであって、装置自体が高価であることとあわせて、多くの人が使用するには不向きである。また、専用の装置を使用せずに温冷足浴をするには、温水と冷水を用意しなければならないし、温水や冷水の温度調節も必要となることから家庭などで手軽に温冷足浴を行うことは難しい。
【０００５】
そこで、本発明はこれらの課題を解決すべくなされたものであり、その目的とするところは、公共施設等に設置することによって、多くの人たちが簡単に温冷足浴を行うことができ、使いやすく、かつ効果的な温冷浴を可能とし、健康増進に効果的に役立てることができる温冷足浴装置を提供するにある。
【０００６】
【課題を解決するための手段】
上記目的を達成するため、本発明は次の構成を備える。
すなわち、温水を貯溜する足浴用の温浴槽と、冷水を貯溜する足浴用の冷浴槽とを備えた温冷足浴装置であって、前記温浴槽と前記冷浴槽とが、複数人が一度に使用可能に設けられ、前記温浴槽に温水を供給する給排部と、前記冷浴槽に冷水を供給する給排部とが設けられていることを特徴とする。
また、前記温浴槽と冷浴槽とが、互いに隣接して配置され、温浴槽あるいは冷浴槽の側方に座った状態で、温浴槽あるいは冷浴槽を幅方向に跨ぐようにして足浴可能に設けられていることにより、温浴槽と冷浴槽に交互に足を浸して、温冷足浴を行うことができる。
また、前記温浴槽あるいは冷浴槽の、幅方向の前方側に配置される浴槽の底面の高さが、幅方向の手前側に配置される浴槽の底面の高さよりも高位に設けられていることにより、幅方向の手前側に配置された浴槽を跨いで前方側に配置された浴槽に容易に足を浸して足浴することができる。
また、前記温浴槽と冷浴槽とが、ともに環状に一周する平面形状に設けられていることにより、複数人が一度に温冷足浴することができる。
【０００７】
また、足浴用の温浴槽と、足浴用の冷浴槽とに共通に用いられる貯溜槽を備えた温冷足浴装置であって、前記貯溜槽が、複数人が一度に使用可能に設けられ、前記貯溜槽に、温水と冷水とを所定時間ごとに交互に供給する給排部が設けられていることを特徴とする。貯溜槽に給排部から温水と冷水が所定時間ごと交互に供給されることにより、貯溜槽に足を置いておくだけで温冷足浴をすることができる。
【０００８】
また、温水を貯溜する足浴用の温浴槽と、冷水を貯溜する足浴用の冷浴槽とを備えた温冷足浴装置であって、前記温浴槽と前記冷浴槽とが、浴槽の長手方向に歩いて足浴できる平面配置に設けられ、前記温浴槽に温水を供給する給排部と、前記冷浴槽に冷水を供給する給排部とが設けられていることを特徴とする。
また、前記温浴槽と冷浴槽とが、交互に単数または複数個、直列に平面配置されていること、また、温浴槽と冷浴槽とが、交互に単数または複数個、直列して環状に一周する平面配置に設けられていることを特徴とする。
また、前記温浴槽および冷浴槽の底部に、足裏を刺激する突起が設けられていることにより、歩行時に足裏のつぼを刺激することができる。
また、前記温浴槽および冷浴槽に沿って、手すりが設けられていることにより、温浴槽および冷浴槽内を安全に歩行することができる。
【０００９】
また、前記給排部が、温水あるいは冷水を所定温度に調節する温度制御装置と、浴槽との間で温水あるいは冷水を循環して送出する送出装置が設けられていることを特徴とする。これによって流水式の浴槽とすることができ、温冷浴にあわせて足を刺激することができる。
また、温浴と冷浴とを所定時間経過するごとに切り換える際の、切り換え時を表示装置あるいは音等によって温冷足浴装置の使用者に知らせる通知手段を備えていることによって、より好適に温冷浴することができる。
【００１０】
【発明の実施の形態】
以下、本発明の好適な実施の形態を添付図面に基づいて詳細に説明する。
（実施形態１）
図１に、本実施形態の温冷足浴装置の第１の実施形態の構成を示す。本実施形態の温冷足浴装置は、環状に一周する平面形状に形成された足浴用の冷浴槽１０と、冷浴槽１０に隣接する内側に足浴用の温浴槽２０とを配置したものである。本実施形態の温冷足浴装置は、冷浴槽１０と温浴槽２０を複数人が一度に足浴できる大きさに形成したものであり、温冷足浴装置の周囲に座って足浴できるように形成されている。
【００１１】
１２は温冷足浴装置の周囲に配置したベンチである。温冷足浴装置を使用する際には、ベンチ１２に設けたシート部Ａに座り、図のように、足Ｂを浴槽の幅方向に向けて足浴する。冷浴槽１０と温浴槽２０は浴槽の幅方向に足を置くことができる幅寸法に形成されている。また、冷浴槽１０と温浴槽２０は、足を浸すことができる深さに冷水あるいは温水を貯溜することができる高さ寸法に形成されている。
冷浴槽１０と温浴槽２０は床面よりも、浴槽の底部が一段低くなるように設けられ、浴槽の底に足裏がのせられる高さにベンチ１２の高さが設定されている。なお、ベンチ１２を設けずに床面にシート部Ａを設け、あるいは床面に適宜座って足浴できるように冷浴槽１０と温浴槽２０の設置高さを設定することももちろん可能である。
【００１２】
本実施形態の温冷足浴装置において、冷浴槽１０に隣接してその内側に温浴槽２０を配置しているのは、使用者が冷浴槽１０と温浴槽２０に交互に足を入れかえて温冷浴できるようにするためである。冷浴槽１０が使用者の手前側にあるから、温浴槽２０に足を浸す際には、脚をのばすようにして温浴槽２０に足を置く。浴槽の前後幅は足の幅程度であるから、冷浴槽１０と温浴槽２０に交互に足を浸すようにすることは容易である。なお、冷浴槽１０を跨ぐようにして前方側の温浴槽２０に足をのばして足浴しやすくするため、温浴槽２０の底面の高さを冷浴槽１０の底面の高さよりもやや高く設定することもよい。このように冷浴槽１０と温浴槽２０の設置高さは常に同一高さ面にするとは限らず、これらの高さを適宜調節して、温冷浴しやすい設計とすることも可能である。
また、冷浴槽１０と温浴槽２０の配置を逆にすることも可能であるが、本実施形態で冷浴槽１０を使用者が座った状態で手前側に配置しているのは、温冷浴では冷浴を先にすることが一般的だからである。
【００１３】
図１において、１４は冷浴槽１０に配管１５を介して連通して設けた冷水の給排部である。冷水の給排部１４は冷浴槽１０に所定温度に温度調節した冷水を供給するためのものであり、冷浴用の冷水の温度に調節するための温度制御装置、冷水を冷浴槽１０に送出するための送出装置を備える。なお、冷浴槽１０に供給する冷水は冷浴槽１０と給排部１４との間を循環させて供給することもできるし、一定時間ごと冷浴槽１０の冷水を入れ替えて供給することもできる。
【００１４】
本実施形態においては、冷浴槽１０内の冷水の温度をなるべく一定温度に維持するため、給排部１４に連通させたノズル１６を冷浴槽１０内に配置し、送出装置によって冷水をノズル１６から送出し、冷浴槽１０と給排部１４との間で冷水を循環させるようにした。１７が戻り側の配管である。
１８は冷浴槽１０での水の循環を補助するために設けた流水装置である。流水装置１８には、回転羽根を用いて流水させる方式、ノズルにより水を送出させる方式等が利用できる。
【００１５】
一方、温浴槽２０については、温浴槽２０に配管２３を介して温水の給排部２２を連通させて設け、温浴槽２０に所定温度の温水を供給する。２４は配管２３に接続して温浴槽２０内に配置したノズルである。温水の給排部２２も前記給排部１４と同様に、水を加温して温浴用の温水に調節する温度制御装置、温水を温浴槽２０に送出するための送出装置を備える。
本実施形態では、温浴槽２０と温水の給排部２２との間で温水を循環させて供給しているが、一定時間ごと、温浴槽２０の温水を入れ替えて供給する方法によることもできる。
【００１６】
冷浴槽１０および温浴槽２０での水温調節は、給排部１４、２２で温度制御する方法によることもできるし、冷浴槽１０と温浴槽２０に温度センサを設けて、温度センサの検出信号に基づいて給排部１４、２２の温度制御装置によって水温を制御することもできる。
冷浴槽１０と温浴槽２０での水温は使用者に合わせて適宜調節すればよいが、、一般的には温水の温度は４０℃〜４２℃、冷水の温度は１４℃〜１５℃が適温とされている。
【００１７】
本実施形態の温冷足浴装置では、足浴装置の周囲に配置されているベンチ１２に腰をかけ、冷浴槽１０と温浴槽２０に交互に足を入れることによって、好適な温冷足浴を行うことができる。冷浴槽１０と温浴槽２０に足を浸す時間は１分程度とされているから、使用に際しては時間をみながら冷浴槽１０と温浴槽２０に交互に足を浸すようにすればよい。冷浴と温浴はそれぞれ１０回程度行えばよい。
【００１８】
足を入れ替えるタイミングが使用者にわかるようにするため、使用者から見やすい位置に時間経過を表示する表示装置を設置しておき、足を入れ替えるタイミングを知らせるようにすると効果的である。足を入れ替え時を知らせる通知手段としては、赤色、青色といった色表示ランプによって知らせる方法、経過時間を秒単位でデジタル表示する方法、時間経過をグラフ表示する方法、声や音、音楽の切り換えによって知らせる方法等が利用できる。
【００１９】
本実施形態の温冷足浴装置は複数人が一度に足浴することができるから、使用に際しては、空いているシート部Ａもしくは床面を選んで座るだけで足浴することができる。足浴は、足を冷浴槽１０と温浴槽２０に浸すだけであるから服を脱いだりする必要がなく、簡単に使用できるという利点がある。また、温浴と冷浴とを交互に行うことで、足の疲れを和らげるだけではなく、いろいろな健康増進の作用効果が得られるという利点がある。
また、本実施形態の温冷足浴装置を公共の利用施設に設置することで、だれでも手軽に足浴装置を利用できるようになるとともに、温冷足浴装置を囲むように座って足浴することで、使用者同士で親しく話しをしながら使用するといったことができ、公共利用施設としてきわめて有効に利用することができる。
【００２０】
なお、上記実施形態では、冷水の給排部１４と温水の給排部２２とを別個の位置に配置しているが、給排部１４、２２の配置位置はとくに限定されるものではなく、冷水と温水の給排部１４、２２を複合化した給排機構として構成することも可能である。
また、給排部１４、２２に殺菌装置を設けたり、水中の塵埃を除去するフィルタを設けるといったことももちろん可能である。
また、冷浴槽１０および温浴槽２０の配置、形状、大きさ等も適宜選択可能であり、浴槽を楕円形状や曲線配置とするといったことも可能である。また、冷水あるいは温水を供給するための配管配置、浴槽と配管との接続位置は適宜選択可能であり、水の供給を浴槽の上部側から行い、水抜きを浴そうの底側から行うといったように配管配置も適宜選択することができる。
【００２１】
図２は、冷浴槽１０と温浴槽２０とを直線形の貯溜槽の形状に形成し、冷浴槽１０に隣接して冷浴槽１０に平行に温浴槽２０を配置した例である。この実施形態では、冷水の給排部１４が配管１５ａ、１５ｂを介して冷浴槽１０の両端側に連通して設けられ、温水の給排部２２は配管２３ａ、２３ｂを介して温浴槽２０の両端側に連通して設けられている。これによって、冷浴槽１０と温浴槽２０とで冷水と温水が循環して通流するようになる。
本実施形態の温冷足浴装置を使用する際は、冷浴槽１０あるいは温浴槽２０の側方に座って冷浴槽１０と温浴槽２０に交互に足を浸すようにする。冷浴槽１０の片側だけに座るようにしてもよいし、図２に示すように、冷浴槽１０と温浴槽２０の両側に座るようにすることもできる。
【００２２】
（実施形態２）
実施形態１の温冷足浴装置は、冷浴槽１０と温浴槽２０とを別体に設けたものであるが、冷浴槽と温浴槽とを別体に設けずに、一つの貯溜槽を温浴と冷浴に共通に使用することも可能である。
図３に一つの貯溜槽３０を温浴と冷浴に共通に使用する温冷足浴装置の構成例を示す。貯溜槽３０は上述した実施形態における冷浴槽１０あるいは温浴槽２０と同様に、環状に一周する平面配置に設け、温水と冷水を給排する給排部３２を配管３３を介して貯溜槽３０に連通して設けたものである。なお、貯溜槽３０の周囲にはシート部Ａを備えたベンチ１２が配置されているが、ベンチ１２を設けずに床面に座るようにすることもできる。
【００２３】
本実施形態の温冷足浴装置では、貯溜槽３０に連通して設けた給排部３２から一定時間ごとに冷水と温水が貯溜槽３０に供給されるから、使用者は貯溜槽３０に足を置いておくだけで、交互に冷浴と温浴とを行うことができる。
温水と冷水の給排部３２には、温水あるいは冷水を所定温度に調節する温度制御装置、温水あるいは冷水を一定時間ごと交互に貯溜槽３０に送出する送出装置が設けられている。
給排部３２から温水あるいは冷水を貯溜槽３０に供給する際には、あらかじめ貯溜槽３０に貯溜されていた冷水あるいは温水をいったん排出してから供給する。３４は冷水あるいは温水を排出する排出タンクである。排出タンク３４に排出された冷水あるいは温水は、再度給排部３２に送られ、殺菌処理や塵埃を取り除く処理がなされ、所定温度に調節して再利用される。
【００２４】
貯溜槽３０に供給する温水あるいは冷水の量は、給排部３２で容量を計量して供給することもできるし、貯溜槽３０に温水あるいは冷水の貯溜量（水の深さ）を計測するセンサを設けて、センサの検出信号に基づいて給排部３２からの温水あるいは冷水の供給を制御することもできる。
本実施形態の温冷足浴装置の場合には、一定時間ごとに冷水と温水とが貯溜槽３０内で入れ替わるから、前述した実施形態１の温冷足浴装置のように、冷浴槽１０と温浴槽２０に交互に足を入れ替える必要がないという利点がある。
【００２５】
なお、実施形態１および実施形態２においては、冷浴槽１０、温浴槽２０、貯溜槽３０を、施設の床面よりも若干低位となるようにあらかじめ据え付けて使用する方法について説明しているが、冷浴槽１０、温浴槽２０、貯溜槽３０は、必ずしも施設へ据え付けて設置しなければならないものではない。浴槽を運搬移動可能に形成し、必要時に施設の床面に適宜配置して足浴するように構成することもできる。この場合は、ベンチあるいは適宜高さの椅子を使用して、上述したと同様に温冷足浴することができる。温冷足浴装置を使用する場合は、使用者の身長等に応じて適宜高さの椅子を使用したり、椅子やベンチの高さを調節して使用するとよい。
【００２６】
（実施形態３）
上記実施形態の温冷足浴装置は、ベンチ１２あるいは施設の床面に座ったままで温冷浴する装置であるが、歩行あるいは足のつぼ刺激をかねて温浴と冷浴とを行うように構成することも可能である。
図４は、冷浴槽１０と温浴槽２０とを別個の貯溜槽に形成し、冷浴槽１０と温浴槽２０に冷水の給排部１４と温水の給排部２２とを各々連通して設けたものである。図４（ａ）は、冷浴槽１０と温浴槽２０とを並列に配置した実施形態、図４（ｂ）は、冷浴槽１０と温浴槽２０と直列に配置した実施形態である。
【００２７】
本実施形態の温冷足浴装置は、浴槽内を歩行しながら足浴を行う。したがって、冷浴槽１０と温浴槽２０は浴槽内を人が歩行できる程度の幅（８０ｃｍ程度）に形成する。４０は冷浴槽１０と温浴槽２０に沿って設置した手すりである。手すり４０は冷浴槽１０と温浴槽２０内を安全に歩くことができるようにするためのもので、リハビリを兼ねて温冷浴するような場合に有効に利用できる。４２は浴槽の底部に設けた足裏刺激用の突起である。
【００２８】
冷浴槽１０および温浴槽２０には、前述した実施形態と同様に、足が浸される程度の深さに冷水あるいは温水が貯溜されている。図４（ａ）に示す温冷足浴装置の場合は、まず冷浴槽１０に入って冷浴槽１０を歩き終わった後、方向転換して温浴槽２０を歩き、再び冷浴槽１０まで戻ってくる。そして、再度、冷浴槽１０に入り、温浴槽２０を戻ってくるという動きを行う。これによって、歩行動作とともに冷足浴と温足浴を繰り返して行うことが可能になる。
冷浴槽１０と温浴槽２０の長さを、浴槽を歩き終わるのに約１分かかる程度に設定しておけば、交互に適当な時間ごと温冷浴ができて好適である。また、浴槽の底部に設けた突起４２により足裏のつぼが刺激され、血行を促進させることができてさらに効果的である。
【００２９】
図４（ｂ）の温冷足浴装置の場合は、冷浴槽１０と温浴槽２０とを直列に配置しているから、冷浴槽１０を歩き終わった後、続いて温浴槽２０に入り、温浴槽２０を歩き終わったら、元の位置まで戻って、再び、冷浴槽１０と温浴槽２０を歩く動作を行う。この場合も、冷浴槽１０と温浴槽２０の長さを温冷浴の時間を考慮して設定することで、交互に温冷浴をすることができる。
なお、冷浴槽１０と温浴槽２０の配置数をさらに増やして、冷浴槽１０と温浴槽２０を交互に複数個直列に配置することも可能である。
【００３０】
図５は、温冷用の貯溜槽を環状に一周する形態に形成し、冷浴槽１０と温浴槽２０に二分することにより、冷浴槽１０と温浴槽２０を連続的に歩くことができるように構成した実施形態を示す。冷浴槽１０と温浴槽２０とに、各々冷水を供給する給排部１４と温水を供給する給排部２２を設けることは上述した実施形態と同様である。
また、上記実施形態と同様に、冷浴槽１０の長さと温浴槽２０の長さを、冷浴槽１０と温浴槽２０に足を浸す温冷浴時間に合わせて設定することで、冷浴槽１０と温浴槽２０を歩くだけで自然に温冷足浴することができる。本実施形態では、冷浴槽１０と温浴槽２０を１つずつ設けているが、周方向に複数個の冷浴槽１０と温浴槽２０とを設けることで、温冷足浴装置を一周することで複数回の温冷浴を行うようにすることもできる。
【００３１】
図４、５に示す温冷足浴装置においては、冷浴槽１０と温浴槽２０で流水させる循環方式とすることもできるし、貯溜方式として適宜水を入れ替える方式とすることもできる。
また、冷浴槽１０および温浴槽２０の配置や形状も曲線状等の種々の形状に形成することが可能である。
本実施形態に示す温冷足浴装置のように、冷浴槽１０と温浴槽２０に足を浸しながら歩いて足浴する方法は、冷水と温水とによる温冷足浴と同時に、歩行訓練にもなるという利点がある。とくにリハビリで歩行訓練を行うような場合には、温冷足浴と歩行訓練があわせて行えることで、きわめて効果的なリハビリ訓練になるという利点がある。また、冷浴槽１０と温浴槽２０を歩いて足浴する方法は、多数の人が一度に温冷浴が行えるという利点があり、公共施設の温冷足浴装置として有効に利用できるという利点もある。
【００３２】
【発明の効果】
本発明に係る温冷足浴装置によれば、上述したように、浴槽の側方に座って温浴槽、冷浴槽に交互に足を浸すことで簡単に温冷足浴を行うことができる。また、貯溜槽に足を置いておくだけで、温足浴と冷足浴が交互にでき、好適な温冷足浴ができる。また、温浴槽と冷浴槽内で足を温水、冷水に浸しながら歩くことにより、歩行動作と同時に温冷足浴を行うことができる。本発明に係る温冷足浴装置は、だれでも簡単にかつ手軽に使用することができ、一度に複数人が使用できるから、公共施設等に設置することによってきわめて有効に使用することができ、健康増進に大いに役立てることができる。
【図面の簡単な説明】
【図１】本発明に係る温冷足浴装置の第１の実施形態の構成を示す説明図である。
【図２】温冷足浴装置の第１の実施形態の変形例を示す説明図である。
【図３】本発明に係る温冷足浴装置の第２の実施形態の構成を示す説明図である。
【図４】本発明に係る温冷足浴装置の第３の実施形態の構成を示す説明図である。
【図５】温冷足浴装置の第３の実施形態の変形例を示す説明図である。
【符号の説明】
１０　冷浴槽
１２　ベンチ
１４　冷水の給排部
１８　流水装置
２０　温浴槽
２２　温水の給排部
３０　貯溜槽
３２　給排部
３４　排出タンク
４０　手すり
４２　突起
【図１】
2004121287.tif 000003
【図２】
2004121287.tif 000004
【図３】
2004121287.tif 000005
【図４】
2004121287.tif 000006
【図５】
2004121287.tif 000007